(57)【要約】【課題】通風機のファンの回転速度を調整する操作を手軽に行うことができると共に、回転速度のレベルや調整できるレベルの数を容易に変更できるようにする。【解決手段】通風機（有圧換気扇）３が電気接続される本体装置１には、通風機３のファン３０の回転速度を複数のレベルで切り替えるためのレベル毎の制御パラメータが登録された制御部が設けられ、この本体装置１に対し、ファン３０に設定すべき回転速度レベルを指定する操作またはレベルの上げ下げを指定する操作を受け付けたリモコン装置２から、その指定の内容を表す信号が送信される。本体装置１の制御部は、リモコン装置２から受信した信号に適合するレベルの制御用パラメータを選択することによって、ファン３０の回転速度をリモコン装置２が受け付けた操作による指定に適したレベルに設定する。【選択図】図１
2019168147.tif 000002
【特許請求の範囲】
【請求項１】
通風機に電力を供給すると共にその供給電力の強さ又は周波数を制御することによって前記通風機のファンの回転速度を変更する装置であって、
前記ファンの回転速度を複数のレベルで切り替えるためのレベル毎の前記制御用のパラメータが登録された制御部を含む本体装置と、前記ファンに設定すべき回転速度レベルを指定する操作またはレベルの上げ下げを指定する操作を受け付け、その指定の内容を表す信号を前記本体装置に送信するリモコン装置とを備え、
前記本体装置の制御部は、前記リモコン装置からの信号を受けたことに応じてその信号に適合するレベル用のパラメータを選択することによって、前記通風機のファンの回転速度を前記操作による指定に適したレベルに設定する、
通風機の回転速度制御装置。
【請求項２】
前記本体装置とリモコン装置とは、それぞれ相手方に非接触で信号を送信する回路と相手方から送信された信号を受信する回路とを具備し、
前記本体装置の制御部は、リモコン装置から前記操作による指定の内容を表す信号の送信を受けたことに応じてリモコン装置に応答信号を送信する、
請求項１に記載された通風機の回転速度制御装置。
【請求項３】
前記本体装置とリモコン装置とは、それぞれ相手方に非接触で信号を送信する回路と相手方から送信された信号を受信する回路とを具備し、
前記本体装置の制御部は、自装置で選択されている制御用パラメータまたは回転速度レベルを示す信号をリモコン装置に送信する、
請求項１に記載された通風機の回転速度制御装置。
【請求項４】
前記本体装置またはリモコン装置には、周囲の空気の状態を測定するセンサを含むセンサモジュールが着脱可能に取り付けられて当該センサからの信号を処理するセンサインターフェイスが設けられる、請求項１に記載された通風機の回転速度制御装置。
【発明の詳細な説明】
【技術分野】
【０００１】
本発明は、通風機の風量の調整のために当該通風機のファンの回転速度を制御する装置（以下「回転速度制御装置」という。）に関する。
【背景技術】
【０００２】
従前より、風量を調整する機能を有していない換気扇に接続されて、換気扇のファンの回転速度を制御することによって風量を変更できるようにした装置が開発されている。たとえば特許文献１には、位相制御回路などを含む制御ユニット（回転速度制御装置に相当するもの）を商用電源と換気扇との間に挿入し、この制御ユニットに複数の時間帯毎の電力値を登録して当該登録情報に基づき各時間帯における電力値を調整することによって、ファンの回転速度を自動的に変更しながら回転を続けさせることが記載されている。さらにこの特許文献１には、先に設置されている換気扇用のオン・オフスイッチの操作も有効として、スイッチがオンにされた場合には、ファンモータを直接に商用電源に接続する（すなわちファンを最大速度で回転させる。）ことが記載されている。
【０００３】
工場や厨房などの作業現場の換気装置として普及している有圧換気扇については、手動で回転速度を切り替えるように設計された回転速度制御装置が商品化されている。たとえば、非特許文献１には、装置本体の前面に切替用の操作部が設けられ、この操作部の操作に応じて換気扇への供給電圧を段階的に変動させる構成の速度調整器（回転速度制御装置に相当するもの）が開示されている。
【先行技術文献】
【特許文献】
【０００４】
【特許文献１】実用新案登録第３０６８９２９号公報
【非特許文献】
【０００５】
【非特許文献１】http://www.nakaden.com/shoppu/kankisen/d/8/pdf/595.pdf
【発明の概要】
【発明が解決しようとする課題】
【０００６】
非特許文献１に記載されているように、手動切替方式の回転速度制御装置では、操作部としてレベル切替用のつまみやスイッチが使用されることが多いが、いずれも調整できる回転速度のレベルの大きさや選択値、調整できるレベルの数が画一化されており、自由度が低い、という問題がある。
【０００７】
また、ユーザが風量を調整するには、回転速度制御装置の設置場所まで移動して操作を行う必要があるため、作業の場所から離れにくいという事情を抱えた現場ではおのずと操作の頻度が低下し、作業現場の空調の状態が不適切になるおそれがある。
【０００８】
本発明は上記の問題に着目してなされたもので、通風機のファンの回転速度を調整する操作を手軽に行うことができると共に、回転速度のレベルや調整できるレベルの数を容易に変更できる構成の回転速度調整装置を提供することを、課題とする。
【課題を解決するための手段】
【０００９】
本発明による回転調整装置は、通風機に電力を供給すると共にその供給電力の強さ又は周波数を制御する機能を有する本体装置と、この本体装置とは別体のリモコン装置とを備えるものである。本体装置には、通風機のファンの回転速度を複数のレベルで切り替えるためのレベル毎の制御用のパラメータが登録された制御部が設けられる。リモコン装置は、ファンに設定すべき回転速度レベルを指定する操作またはレベルの上げ下げを指定する操作を受け付け、その指定の内容を表す信号を本体装置に送信する。
【００１０】
本体装置の制御部は、リモコン装置からの信号を受けたことに応じてその信号に適合するレベル用のパラメータを選択することによって、通風機のファンの回転速度を前記操作による指定に適したレベルに設定する。なお、リモコン装置においては、回転速度のレベルが風量に置き換えられて指定される場合がある。
【００１１】
上記構成によれば、ユーザは、リモコン装置の操作によって、本体装置から離れた場所で風量の調整をすることが可能になる。また、制御部に登録する制御用パラメータの内容や登録数を変更すると共に、その変更に柔軟に対応できる構成の操作部をリモコン装置に設けることによって、調整可能な回転速度や調整できるレベルの数を容易に変更することができる。
【００１２】
本発明ではさらに、本体装置とリモコン装置とに、それぞれ相手方に非接触で信号を送信する回路と相手方から送信された信号を受信する回路（たとえば赤外線通信用の送信回路および受信回路）を設けることによって、以下の２つの実施形態を提供することができる。
【００１３】
第１の実施形態では、本体装置の制御部は、リモコン装置から操作による指定の内容を表す信号の送信を受けたことに応じてリモコン装置に応答信号を送信する。第２の実施形態では、本体装置の制御部は、自装置で選択されている制御用パラメータまたは回転速度レベルを示す信号をリモコン装置に送信する。
【００１４】
第１の実施形態によれば、リモコン装置は、操作による指定の内容を示す信号を本体装置に送信してから所定時間以内に本体装置からの応答信号を受信できなかったとき、本体装置が操作に応答していない旨を、表示や音などにより報知することができる。第２の実施形態でも、リモコン装置において、本体装置から送信された信号の内容が直近の操作で指定された内容に整合するか否かを判別し、不整合の判別がなされたときに同様の報知を行うことができる。
【００１５】
加えて第２の実施形態によれば、本体装置にも調整用の操作部が設けられたり、後記するセンサからの測定データを用いた自動調整機能が本体装置に設けられて、これらの機能により本体装置が単独で回転速度のレベルを切り替えた場合に、その切り替え後のレベルまたは制御用パラメータを本体装置からリモコン装置に送信することによって、リモコン装置が保持するデータ（回転速度レベルの表示データなど）を本体装置に整合させることができる。
【００１６】
さらに本発明では、本体装置またはリモコン装置に、周囲の空気の状態を測定するセンサ（温度センサ、湿度センサ、臭いセンサなど）を含むセンサモジュールを着脱可能に取り付けて当該センサからの信号を処理するセンサインターフェイスを設けることができる。この構成によれば、周囲の空気の状態が好ましくないレベルに劣化したときに、それを知らせる警告表示を行ったり、通風機の回転速度を自動的に上げるなどの制御を加えることができる。
【発明の効果】
【００１７】
本発明によれば、リモコン装置による遠隔操作による風量の調整が可能になることによって、利便性が高められ、移動が困難な作業現場においても空調の適正化を推進することができる。
【００１８】
また、調整可能な回転速度のレベルや調整できるレベルの数をユーザの要望等に応じて容易に変更することができるので、設計の自由度が高められる。したがって、速度調整機能を持たない通風機のみならず、その機能はあるが調整できるレベルの数が少ない通風機にも使用することができる。
【図面の簡単な説明】
【００１９】
【図１】本発明の一実施例にかかる回転速度制御装置の使用例を示す説明図である。
【図２】回転速度制御装置の回路構成を示すブロック図である。
【図３】リモコン装置の前面を拡大して示した正面図である。
【図４】リモコン装置の液晶パネルに表示される報知画面を例示した説明図である。
【図５】リモコン装置の制御部による処理手順を例示したフローチャートである。
【発明を実施するための形態】
【００２０】
図１は、本発明の一実施例にあたる回転速度制御装置１００の使用例を示すものである。この実施例の回転速度制御装置１００は、有圧換気扇３（以下、単に「換気扇３」という。）の風量を調整する目的で設計されたもので、換気扇３が電気接続される本体装置１と、本体装置１と赤外線通信を行うリモコン装置２とにより構成される。
【００２１】
本体装置１は、前面にコンセント口１０１，１０１が設けられ、背面から電源ケーブル１０２が引き出された形態のものである。この本体装置１の電源ケーブル１０２のプラグ１０３を商用電源４のコンセント４０に接続し、本体装置１のコンセント口１０１，１０１に換気扇３の電源ケーブル３１のプラグ３２を接続することによって、換気扇３にファン３０を回転させるのに必要な電力が供給される。なお、図示の本体装置１はＡＣ１００Ｖの商用電源に対応するタイプのものであるが、プラグ１０３の端子の形状やコンセント口１０１，１０１の形状を変更すれば、ＡＣ２００Ｖの商用電源に接続することもできる。
【００２２】
図２は、上記の回転速度制御装置１００の回路構成の概略を示すブロック図である。この実施例の本体装置１およびリモコン装置２は、それぞれマイクロコンピュータによる制御部１０，２０と、赤外線信号の送信回路１１，２１および受信回路１２，２２を有し、互いに相手方への赤外線信号の送信と相手方から送信された赤外線信号の受信とを行いながら動作する。
【００２３】
本体装置１には、さらに、商用電源４への接続の切替え用の電源スイッチ１３，トライアック１４，ＡＣ−ＤＣコンバータ１５，コンセント口１０１に含まれる電源端子１６などが設けられる。電源スイッチ１３の操作部は、本体装置１の筐体の背面または側面に配備され、ユーザの操作により電源スイッチ１３を導通させることによって、トライアック１４およびＡＣ−ＤＣコンバータ１５に商用電源４からの交流が供給される。ＡＣ−ＤＣコンバータ１５ではこの交流を５Ｖの直流に変換し（ただし５Ｖは一例であってこの限りではない。）、この直流が制御部１０に供給され、さらに送信回路１１や受信回路１２にも当該直流が供給されて、本体装置１は動作可能になる。
【００２４】
制御部１０のメモリ（図示省略）には、トライアック１４のスイッチング動作のタイミングを調整することによって換気扇３に供給される交流の電圧を変化させる制御（位相制御）を実施するためのプログラムや、この制御により供給電圧を複数のレベルで切り替え可能にするためのレベル毎の制御用パラメータが登録される。
【００２５】
この実施例の制御用パラメータは、交流電圧の半周期においてトライアック１４をオン状態にする期間（導通期間）の長さを半周期分の時間長さに対する比率により表した数値であり、０を含む複数の比率が各レベルを表す符号（たとえば０，１，２，３・・・）に紐付けられて制御部１０のメモリに登録される。
【００２６】
制御部１０は、交流電圧のゼロクロス点の単位時間あたりの数から交流電圧の周期（５０Hzまたは６０Hz）を判別して、判別した周期と選択したパラメータが示す比率とに基づきトライアック１４に駆動パルスを出力するタイミングを決定し、決定したタイミングが到来する都度、駆動パルスを出力する。制御パラメータが示す数値が大きくなるほど駆動パルスを出力するタイミングが早くなって、トライアック１４の導通期間が長くなり、これに伴い、換気扇３に供給される電圧が大きくなってファン３０の回転速度が高められる。また、制御用パラメータとして０が選択された場合には、駆動パルスは出力されず、換気扇３への供給電圧は０Ｖとなり、ファン３０は回転を停止する。
【００２７】
制御用パラメータは上記したものに限らず、たとえば、トライアック１４のオフ期間の長さ、言い替えるとゼロクロス点から駆動パルスを出力するまでの時間長さについて、交流電圧の半周期に対する比率をレベル毎に登録してもよい。または、このオフ期間の具体的な長さを交流電圧の周期毎およびレベル毎に登録してもよい。
【００２８】
リモコン装置２の筐体には、図３に示すように、オン／オフスイッチ２３，オフタイマースイッチ２４，風量アップスイッチ２５，風量ダウンスイッチ２６，液晶パネル２７が設けられる。図２に示すとおり、各スイッチ２３〜２６や液晶パネル２７は、筐体の内部で前出の制御部２０に電気接続される。さらに筐体の内部には、前出の送信回路２１および受信回路２２，センサインターフェイス２８，各構成の駆動源となるバッテリー２９などが設けられる。
【００２９】
オン／オフスイッチ２３は、リモコン装置２の作動（オン）と休止（オフ）とを切り替えるためのスイッチであり、オフタイマースイッチ２４は本体装置１を作動状態から休止状態に切り替えるタイミングを設定するためのスイッチである。これらのスイッチ２３，２４は、図３の例では液晶パネル２７の下縁に沿う範囲の右と左とに分かれて配備される。風量アップスイッチ２５は換気扇３の風量を一段階ずつ上げることを指示するためのスイッチであり、風量ダウンスイッチ２６は当該風量を一段階ずつ下げることを指示するためのスイッチである。これらのスイッチ２５，２６は、リモコン装置２の前面の幅中央部に縦並びに配備される。
【００３０】
液晶パネル２７には、各スイッチ２３〜２６による設定の状態、バッテリー２９の残容量、後述する臭気センサにより測定された臭気レベル（図３中の領域ＳＤの表示。）などが表示される。
なお、液晶パネル２７に代えてタッチパネルを使用し、オン／オフスイッチ２３以外の各スイッチ２４，２５，２６の機能をタッチパネルに設定することも可能である。その場合には、風量のレベルの調整については、レベルの上げ下げの指定に代えて、レベル毎の選択スイッチを表示していずれか１つのスイッチの操作を受け付ける方法などにより、切り替え対象のレベルを直接指定できるようにしてもよい。
【００３１】
リモコン装置２のセンサインターフェイス２８には、外部機器の接続用の端子（図示省略）が含まれている。この端子は筐体の適所に形成された差し込み口の中に配備されるもので、この端子を介して周囲の空気の状態を検出するためのセンサを含むセンサモジュール５が、リモコン装置２に装着かつセンサインターフェイス２８に電気接続される。この実施例では、臭気センサ（図示省略）が搭載されたセンサモジュール５が接続されるものとして、この臭気センサからの測定データを複数のレベルに分けるために必要なレベル毎のしきい値が制御部２０に登録されている。制御部２０は、センサインターフェイス２８を介して臭気センサの測定データを入力し、その測定データの値を各しきい値と比較することによってリモコン装置２の周囲の空気の臭気のレベルを判定する。この判定結果が液晶パネル２７の領域ＳＤに表示される。
【００３２】
リモコン装置２の制御部２０は、風量アップスイッチ２５からの操作信号を受けたときは、ファン３０の回転速度のレベルを一段階上げることを指定する信号（以下「速度アップ信号」という。）を送信回路２１に出力し、風量ダウンスイッチ２６からの操作信号を受けたときは、ファン３０の回転速度のレベルを一段階下げることを指定する信号（以下「速度ダウン信号」という。）を送信回路２１に出力する。またオフタイマースイッチ２４からの操作信号を受けたときには、制御部２０は、オフタイマーの設定用信号（以下「タイマーセット信号」という。）を送信回路２１に出力する。いずれの信号も、送信回路２１において赤外線信号に変換されて外部に送出された後に、これを受信した本体装置１の受信回路１２において電気信号に復号され、本体装置１の制御部１０に入力される。
【００３３】
速度アップ信号または速度ダウン信号を受けた本体装置１の制御部１０は、その受信信号の種別に応じて、制御用パラメータを選択中のものより一段階上または一段階下のレベルに切り替える。この切り替えによって換気扇３に供給される電圧のレベルが上昇または下降し、ファン３０の回転速度も電圧変化と同じ方向に変化する。また制御部１０は、タイマーセット信号を受けたときは、ファン３０の回転を停止させるまでの設定時間としてあらかじめ定めた一定長さの時間をセットし、その後の経過時間が設定時間に達したときに、制御パラメータを最小レベルの０に変更することによって、ファン３０の回転を停止させる。
【００３４】
なお、オフタイマースイッチ２４が一定時間以内の間隔をもって複数回操作されたことにより、本体装置１がタイマーセット信号を複数回連続して受信した場合には、受信の都度、設定時間に一定時間が加算される。ただし設定時間には最大値が定められており、この最大の設定時間が設定されている状態下でタイマーセット信号を受信した場合には、設定時間はゼロリセットされる。
【００３５】
さらにこの実施例の本体装置１の制御部１０は、リモコン装置２から上記した各種の操作に伴う信号を受ける都度、自装置の送信回路１１を介してリモコン装置２に応答信号を送信する。リモコン装置２の制御部２０は、自装置の受信回路２２を介してこの応答信号を受けた後に、操作に関連する液晶パネル２７中の表示（風量レベルの表示やオフタイマーの設定時間の表示など）を更新するが、信号の送信から所定時間が経過しても本体装置１からの応答信号を受けることができなかった場合には、液晶パネルの画面を図４（Ａ）に示すような表示に切り替える。
【００３６】
図４（Ａ）の画面は、ユーザの操作が本体装置１に受け付けられていないことをユーザに報知する目的のものであり、画面の背景色を変えたり、点滅表示を行うなど、注意を喚起しやすくする工夫を入れてもよい（以下に述べる（Ｂ）（Ｃ）（Ｄ）の画面も同じ。）。または、リモコン装置２にエラーランプを設けて、このランプを点灯または点滅させてもよい。またはリモコン装置２に音出力機能を設けて、報知用画面の表示に代えて、もしくは当該表示と共に、警告音を出力してもよい。
【００３７】
臭気センサの測定データについても、測定データの値に基づく臭気レベルを表示する処理だけでなく、測定データの値があらかじめ定めた許容レベルの範囲を上回ったときに、それを知らせる画面の表示や警告音の出力等を行うことができる。さらに測定データの値が許容レベルを上回ったときには、ユーザの操作がなくとも本体装置１に信号を送信してファン３０の回転速度を自動的に調整することもできる。以下、この自動調整機能をもたせた実施例について説明する。
【００３８】
図５は、ユーザによる風量調整操作に従った制御と臭気センサの測定データに基づく自動制御とを実施する仕様のリモコン装置２における処理手順を示すものである。説明が複雑になるのを避けるため、図５および以下の説明は、ファン３０の回転速度の制御に関わる処理に限定したものにする。また、本体装置１の処理手順については図示を省略し、適宜、リモコン装置２の処理手順に関連づけて説明する。
【００３９】
図５の手順を実行するにあたり、リモコン装置２の制御部２０には、臭気センサの測定データの値について許容レベルの上限値に相当する数値が登録される。また本体装置１の制御部１０は、電源スイッチ１３の導通により起動した直後は、標準レベルとしてあらかじめ定められたレベル（たとえば中間位置のレベル）の制御用パラメータ、または直近の電源オフ時に選択されていた制御用パラメータを選択し、そのパラメータを用いてファン３０を回転させる制御を開始する。
【００４０】
リモコン装置２の制御部２０は、オン・オフスイッチ２３がオンに設定されたことに応じて起動すると、まず本体装置１に現在の回転速度のレベルを問い合わせる信号を送信し、本体装置１からの応答信号から現在の設定レベルを取得し（ステップＳ１）、その設定レベルの表示を含む状態表示画面（図３に示した画面）を液晶パネル２７に表示する（ステップＳ２）。なお、リモコン装置２では、回転速度の設定レベルは風量のレベルに置き換えられて取り扱われる。
【００４１】
状態表示画面の立ち上げ後の制御部２０は、ユーザによる操作に待機しつつ、一定の時間間隔毎に臭気センサの測定データを取得して臭気レベルを判別する（ステップＳ３，Ｓ４，Ｓ５）。
【００４２】
周期レベルが許容レベル以内である間に風量アップスイッチ２５が操作される（ステップＳ３が「ＹＥＳ」）と、制御部２０は自装置が保持する風量の設定レベルが最大レベルであるか否かをチェックし（ステップＳ６）、最大レベルが設定されていない場合（ステップＳ６が「ＮＯ」）には本体装置１に速度アップ信号を送信する（ステップＳ７）。この信号を受けた本体装置１では、リモコン装置２に応答信号を送信すると共に、制御用パラメータを現在より一段階上のレベルのパラメータに切り替える。リモコン装置２の制御部２０も、応答信号を受けたことに応じて風量の設定レベルを一段階高いレベルに変更し、その変更を状態表示画面に反映させ（ステップＳ８）、しかる後にステップＳ３〜Ｓ５のループに戻る。
【００４３】
一方、現在の設定レベルが最大レベルに達している状態下で風量アップ操作を受け付けた場合（ステップＳ６が「ＹＥＳ」）には、リモコン装置２の制御部２０は風量アップ信号を送信せずに、風量アップ操作は不可能である旨を報知する画面（図４（Ｂ）に例示。）に表示を切り替える（ステップＳ９）。図示を省略しているが、制御部２０は、この報知画面の表示を所定時間維持した後に状態表示画面の表示を復帰させ、ステップＳ３〜Ｓ５のループに戻る。
【００４４】
臭気レベルが許容レベル以内である間に風量ダウンスイッチ２６の操作を受け付けた場合（ステップＳ４が「ＹＥＳ」）にも、制御部２０は現在の風量の設定レベルをチェックする（ステップＳ１０）。このときの設定レベルが最小レベルに達していない場合（ステップＳ１０が「ＮＯ」）には、制御部２０は本体装置１に速度ダウン信号を送信する（ステップＳ１１）。
【００４５】
速度ダウン信号を受けた本体装置１は、リモコン装置２に応答信号を送信すると共に、制御用パラメータを現在より一段階下のレベルのパラメータに切り替える。リモコン装置２でも、応答信号を受けたことに応じて風量の設定レベルを一段階低いレベルに変更し、その変更を状態表示画面に反映させる（ステップＳ１２）。
【００４６】
一方、風量の設定レベルが最小レベルの状態下（言い替えるとファン３０の回転が停止している状態）で風量ダウン操作を受け付けた場合（ステップＳ１０が「ＹＥＳ」）には、リモコン装置２の制御部２０は、速度ダウン信号を送信せずに、風量ダウン操作は不可能である旨を報知する画面（図４（Ｃ）に例示。）に表示を切り替える（ステップＳ１３）。制御部２０は、この表示を所定時間維持した後に状態表示画面の表示を復帰させ、ステップＳ３〜Ｓ５のループに戻る。
【００４７】
ステップＳ５で臭気レベルが許容レベルを超えていると判定した場合（ステップＳ１０が「ＮＯ」）には、制御部２０は、まず現在の設定レベルをチェックし、設定レベルが最大になっていない場合（ステップＳ１４が「ＹＥＳ」）には、回転速度を最大レベルに切り替えることを指示する信号を本体装置１に送信する（ステップＳ１５）。さらにこの信号に対する本体装置１からの応答信号を受けて、液晶パネル２７の表示を、図４（Ｄ）に示すような画面に切り替えることによって、風量の自動調整中であることを報知する（ステップＳ１６）。
【００４８】
応答信号を出した後の本体装置１では、制御用パラメータを最大レベルのパラメータに切り替えることによって、ファン３０を最大の速度で回転させる。その間、リモコン装置２の制御部２０は、図４（Ｄ）の画面の表示を続けながら、臭気レベルのチェックを繰り返す（ステップＳ１７）。臭気レベルが許容レベルに戻ったことによりステップＳ１７が「ＹＥＳ」となると、制御部２０は本体装置１に対し、最大レベルに切り替える直前のレベルに復帰することを指示する信号を送信する（ステップＳ１８）。
【００４９】
本体装置１の制御部１０は上記の信号に対する応答信号をリモコン装置２に送信すると共に、受信した信号の指示に従って制御パラメータを切り替える。リモコン装置２の制御部は、本体装置１から応答信号を受けたことに応じて、自動調整中の報知を終了して通常の状態表示画面を復活させ（ステップＳ１９）、ステップＳ３〜Ｓ５のループに戻る。
【００５０】
上記ステップＳ１４〜Ｓ１９の手順は、風量調整操作の有無に関わらず、臭気レベルが許容レベルを超える都度、実施される。したがって、ユーザが臭気レベルが高くなっていることに気づいていない場合や、忙しくて風量を上げる操作をする余裕がない場合でも、自動的にファン３０の回転速度を調整して臭気レベルを許容レベルに戻すことができる。
【００５１】
図２に参照を戻す。センサモジュール５に搭載するセンサは臭気センサに限らず、温度センサ，湿度センサ，ガスセンサ，埃センサなど、空気の状態を測定する目的の様々なセンサを搭載し、上記と同様の処理を実施することによって、環境の悪化を防ぐことができる。また、これらの中から複数のセンサを選択してセンサモジュール５に搭載すれば、各センサの測定データを用いてファン３０の回転速度をきめ細かく制御することができる。
【００５２】
また、図２中に破線で示すように、本体装置１にもセンサインターフェイス１８を設けることができ、こちらにセンサモジュール５を接続して、本体装置１でセンサの測定データに基づく自動制御を実施することもできる。その場合には、本体装置１からリモコン装置２に自動制御の開始や終了を伝える信号を送信し、その信号に応じてリモコン装置２で液晶パネル２７の表示を切り替えることができる。
【００５３】
さらに、本体装置１およびリモコン装置２のいずれにセンサモジュール５を装着するかを選択したり、本体装置１とリモコン装置２との双方にセンサモジュール５を装着し、いずれか一方のモジュール５内のセンサの測定データが許容レベルを超えた場合にファン３０の回転速度を上げたり、許容レベルを超える測定データを発生したセンサがいずれのモジュール５に含まれるかによって回転速度を上げる度合いを変動させるなど、制御のアルゴリズムに豊富なバリエーションを設けることができる。
【００５４】
図２に示した構成の速度制御装置によれば、本体装置１やリモコン装置２の筐体にセンサモジュール５が着脱可能に取り付けられるので、換気扇３が配備されている現場の事情やユーザの要望に応じてセンサを選択したり、センサを容易に取り替えることができる。さらに、あらかじめセンサの種類毎に、許容レベルを判定するためのしきい値を特定して制御部１０，２０に登録しておけば、接続されたセンサの種類を自動判定してそのセンサに適したしきい値を有効にしたり、リモコン装置２の液晶パネル２７におけるセンサ関連情報を変更するなど、センサの選択の切り替えに容易に対応することができる。
【００５５】
本体装置１の制御部１０に登録される制御パラメータの数や値を変更することによって、ファン３０の回転速度の調整におけるレベルの数やレベル毎の速度を容易に変更することもできる。よって、ユーザの要望や換気扇３が取り付けられている現場の状況に適した風量調整が可能になり、画一化された調整しかできない従来の装置に比べて利便性が大幅に高められる。また、リモコン装置２を用いて風量調整操作を手軽に行うことができるので、調整操作の頻度が高まり、現場の環境を向上することができる。
【００５６】
なお、上記実施例では、操作を受け付けたリモコン装置２からその操作内容を示す信号を受けたことに応じて、本体装置１からリモコン装置２に応答信号を出力する方法によって、本体装置１に操作が受け付けられたか否かを確認したが、確認方法はこれに限定されるものではない。たとえば、風量調整操作が行われたか否かに関わらず、本体装置１からリモコン装置２に、適宜、現在の設定レベルを知らせる信号を送信し、リモコン装置２において、受信信号が示す設定レベルが自装置が直近に受け付けた操作の内容に適合しているか否かを判定し、不適合と判定された場合に図４（Ａ）に示したような画面を表示することもできる。
【００５７】
また、上記実施例では、リモコン装置２でのみ風量調整操作を受け付けているが、本体装置１にも風量調整用の操作部を設けてもよい。その場合、本体装置１が自装置で風量調整操作を受け付けたときに、その操作により調整された速度レベルをリモコン装置２に送信すれば、リモコン装置２において、液晶パネル２７に表示される風量レベルを現在の回転速度レベルに整合させることができる。本体装置１においてセンサによる測定データに基づきファン３０の回転速度を自動調整する場合にも同様に、リモコン装置２に調整内容を示す信号を送信することによって、液晶パネル２７に図４（Ｄ）に示したような画面を表示することが可能になる。
【００５８】
上記の実施例の速度制御装置では、トライアック１４を用いた位相制御によって換気扇３に供給される電力の強さを変更する方法によりファン３０の回転速度を調整したが、インバータを用いて交流の周波数を変更する方法によっても、同様の調整が可能である。
【００５９】
また、本明細書では、業務用の有圧換気扇３の風量調整を行う目的に使用される速度制御装置を例として説明したが、これに限らず、家庭の台所用の換気扇、サーキュレータ、業務用の大型扇風機など、ファンの回転速度を調整する機能を有していない通風機全般に、本発明による速度調整装置を使用することができる。さらに、旧式の家庭用扇風機のように、速度調整機能は持っているが調整できるレベルが画一的で、リモコンも付いていない通風機にも、本発明の速度調整装置を使用することによって、速度調整機能や操作性を格段に高めることができる。
【符号の説明】
【００６０】
１００  回転速度制御装置
１  本体装置
２  リモコン装置
３  換気扇
４  商用電源
５  センサモジュール
１０，２０  制御部
１１，２１  赤外線信号送信回路
１２，２２  赤外線信号受信回路
１４  トライアック
１８，２８  センサインターフェイス
２５  風量アップスイッチ
２６  風量ダウンスイッチ
２７  液晶パネル
【図１】
2019168147.tif 000003
【図２】
2019168147.tif 000004
【図３】
2019168147.tif 000005
【図４】
2019168147.tif 000006
【図５】
2019168147.tif 000007